(57)【要約】【課題】本発明は、屈曲させた複雑な排水経路を形成することがなく、排水配管の施工作業に要する労力や費用を大幅に削減することが出来る排水配管構造および排水配管構造の施工方法を提供することを課題とする。【解決手段】建物の床下基礎２内に内外に通じる９０°曲り鞘管３を埋設し、該鞘管３内には可撓管４を挿通し、建物の屋内排水設備７に連絡する垂直排水管６を該鞘管３内の可撓管４の上流側に接続し、該可撓管４の下流側には屋外排水管９を接続した排水配管構造１および排水配管構造の施工方法を提供する。【選択図】    図１
2005163383.tif 000002
【特許請求の範囲】
【請求項１】
建物の床下基礎内に内外に通じる９０°曲り鞘管を埋設し、該鞘管内には可撓管を挿通し、建物の屋内排水設備に連絡する垂直排水管を該鞘管内の可撓管の上流側に接続し、該可撓管の下流側には屋外排水管を接続したことを特徴とする排水配管構造。
【請求項２】
該排水設備は、上記垂直排水管の直上に排水口が位置している水洗式便器である請求項１に記載の排水配管構造。
【請求項３】
該９０°曲り鞘管は建物の床下基礎の深部に埋設され、該鞘管の上流側には直鞘管が接続され、該直鞘管内と該９０°曲り鞘管内には可撓管が挿通されている請求項１または請求項２に記載の排水配管構造。
【請求項４】
該９０°曲り鞘管は建物の床下基礎の深部に埋設され、該鞘管の上流側には直鞘管が接続され、該９０°曲り鞘管内には可撓管が挿通され、該直鞘管内には該可撓管に接続された直管が挿通されている請求項１または請求項２に記載の排水配管構造。
【請求項５】
該可撓管の上流側には、上端にオフセット広口受口を形成したオフセット継手本体と該オフセット広口受口内に回転可能に嵌着されるオフセット短筒部材とからなるオフセット継手のオフセット継手本体の下端受口が接続され、該オフセット継手のオフセット短筒部材の上端受口には該垂直排水管が接続されている請求項１〜請求項４に記載の排水配管構造。
【請求項６】
該可撓管の上流側には、屈曲下側継手部材と該屈曲下側継手部材の接続受口に回転可能に接続されている屈曲上側継手部材とからなるオフセット継手の屈曲下側継手部材の下端受口が直短管を介して接続され、該オフセット継手の屈曲上側継手部材の上端受口には該垂直排水管が接続されている請求項１〜請求項４に記載の排水配管構造。
【請求項７】
建物の床下基礎構築部の所定個所に内外に通じる９０°曲り鞘管を挿置した状態でコンクリートを建て込んで床下基礎を構築し、該鞘管内に可撓管を挿通し、該可撓管の上流側には屋内排水設備に連絡する垂直排水管を接続し、該可撓管の下流側には屋外排水管を接続して、請求項１に記載の排水配管構造を施工することを特徴とする排水配管構造の施工方法。
【請求項８】
該排水設備は、上記垂直排水管の直上に排水口が位置している水洗式便器である請求項７に記載の排水配管構造の施工方法。
【請求項９】
該９０°曲り鞘管を建物の床下基礎構築部の深部に挿置し、更に該９０°曲り鞘管の上流側に直鞘管を接続した状態でコンクリートを建て込んで床下基礎を構築し、該９０°曲り鞘管内と該直鞘管内に可撓管を挿通し、該可撓管の上流側には屋内排水設備に連絡する垂直排水管を接続し、該可撓管の下流側には屋外排水管を接続して、請求項３に記載の排水配管構造を施工する排水配管構造の施工方法。
【請求項１０】
該９０°曲り鞘管を建物の床下基礎構築部の深部に挿置し、更に該９０°曲り鞘管の上流側に直鞘管を接続した状態でコンクリートを建て込んで床下基礎を構築し、該９０°曲り鞘管内に可撓管を挿通し、該直鞘管内に該可撓管に接続した直管を挿通し、該直管の上流側には屋内排水設備に連絡する垂直排水管を接続し、該可撓管の下流側には屋外排水管を接続して、請求項４に記載の排水配管構造を施工する排水配管構造の施工方法。
【請求項１１】
該可撓管の上流側に、上端にオフセット広口受口を形成したオフセット継手本体と該オフセット広口受口内に回転可能に嵌着されるオフセット短筒部材とからなるオフセット継手のオフセット継手本体の下端受口を接続し、該オフセット継手のオフセット短筒部材の上端受口に該垂直排水管を接続する請求項７〜請求項１０に記載の排水配管構造の施工方法。
【請求項１２】
該可撓管の上流側に、屈曲下側継手部材と該屈曲下側継手部材の接続受口に回転可能に接続されている屈曲上側継手部材とからなるオフセット継手の屈曲下側継手部材の下端受口を直短管を介して接続し、該オフセット継手の屈曲上側継手部材の上端受口に該垂直排水管を接続する請求項７〜請求項１０に記載の排水配管構造の施工方法。
【発明の詳細な説明】
【技術分野】
【０００１】
本発明は排水配管構造および排水配管構造の施工方法に関する。
【背景技術】
【０００２】
従来、管体としてのベンド管の下流端を住宅の外部地表面下へ貫通するとともに該ベンド管の上流端を住宅内へ貫通して住宅の基礎を形成し、曲り可能管であるフレキシブル管を該ベンド管内に挿通し、該フレキシブル管の下流端を排水路に接続するとともに該フレキシブル管の上流端を住宅の排水設備に接続する排水路の形成方法が提供されている（特許文献１参照）。
【０００３】
【特許文献１】特開２００２−１１５２９４号公報（第４−７頁、第１図）
【発明の開示】
【発明が解決しようとする課題】
【０００４】
しかしながら上記従来の排水路の形成方法では、ベンド管内にフレキシブル管を挿通する際にベンド管の屈曲部においてフレキシブル管が突っ掛かるのを防止するために、該ベンド管の曲げ角度を小さく設定する必要があるが、その場合には、該ベンド管の上流端が基礎から外出する位置が基礎の端部から遠い位置にくることとなり、屋内排水設備の排水口が基礎の端部から近い位置に設定されている場合、例えば水洗式便器の排水口の場合には、屈曲させた複雑な排水経路を形成して、該ベンド管内を挿通させたフレキシブル管の上流端と屋内排水設備の排水口とを接続する必要があり、排水配管の施工作業に多大な労力や費用を要するという問題があった。
また、建物の基礎が深基礎の場合、例えば傾斜地に建てられた建物の基礎の場合には、該ベンド管の曲げ角度が小さいと、該ベンド管の上流端が基礎からの外出する位置が基礎の端部から更に遠い位置にくることとなり、非常に長いベンド管やフレキシブル管を用いる必要があるため、排水配管の施工作業に更に多大な労力や費用を要するという問題があった。
【課題を解決するための手段】
【０００５】
本発明は上記従来の課題を解決するための手段として、建物の床下基礎(2) 内に内外に通じる９０°曲り鞘管(3) を埋設し、該鞘管(3) 内には可撓管(4) を挿通し、建物の屋内排水設備(7) に連絡する垂直排水管(6) を該鞘管(3) 内の可撓管(4) の上流側に接続し、該可撓管(4) の下流側には屋外排水管(9) を接続した排水配管構造(1) を提供するものである。
該排水設備は、上記垂直排水管(6) の直上に排水口(8) が位置している水洗式便器(7) であることが望ましい。
また、該９０°曲り鞘管(3) は建物の床下基礎(2) の深部に埋設され、該鞘管(3) の上流側には直鞘管(19)が接続され、該直鞘管(19)内と該９０°曲り鞘管(3) 内には可撓管(4) が挿通されていることが望ましい。
更に、該９０°曲り鞘管(3) は建物の床下基礎(2) の深部に埋設され、該鞘管(3) の上流側には直鞘管(19)が接続され、該９０°曲り鞘管(3) 内には可撓管(4) が挿通され、該直鞘管(19)内には該可撓管(4) に接続された直管(35)が挿通されていることが望ましい。
また更に、該可撓管(4) の上流側には、上端にオフセット広口受口(24)を形成したオフセット継手本体(21)と該オフセット広口受口(24)内に回転可能に嵌着されるオフセット短筒部材(22)とからなるオフセット継手(20)のオフセット継手本体(21)の下端受口(23)が接続され、該オフセット継手(20)のオフセット短筒部材(22)の上端受口(26)には該垂直排水管(6) が接続されていることが望ましい。
または、該可撓管(4) の上流側には、屈曲下側継手部材(29)と該屈曲下側継手部材(29)の接続受口(32)に回転可能に接続されている屈曲上側継手部材(30)とからなる屈曲オフセット継手(28)の屈曲下側継手部材(29)の下端受口(31)が直短管(27)を介して接続され、該屈曲オフセット継手(28)の屈曲上側継手部材(30)の上端受口(34)には該垂直排水管(6) が接続されていることが望ましい。
【０００６】
また本発明では、建物の床下基礎(2) 構築部の所定個所に内外に通じる９０°曲り鞘管(3) を挿置した状態でコンクリートを建て込んで床下基礎(2) を構築し、該鞘管(3) 内に可撓管(4) を挿通し、該可撓管(4) の上流側には屋内排水設備(7) に連絡する垂直排水管(6) を接続し、該可撓管(4) の下流側には屋外排水管(9) を接続して、上記の排水配管構造(1) を施工する排水配管構造の施工方法が提供される。
該排水設備は、上記垂直排水管(6) の直上に排水口(8) が位置している水洗式便器(7) であることが望ましい。
また、該９０°曲り鞘管(3) を建物の床下基礎(2) 構築部の深部に挿置し、更に該９０°曲り鞘管(3) の上流側に直鞘管(19)を接続した状態でコンクリートを建て込んで床下基礎(2) を構築し、該９０°曲り鞘管(3) 内と該直鞘管(19)内に可撓管(4) を挿通し、該可撓管(4) の上流側には屋内排水設備(7) に連絡する垂直排水管(6) を接続し、該可撓管(4) の下流側には屋外排水管(9) を接続して、上記の排水配管構造(1) を施工することが望ましい。
更に、該９０°曲り鞘管(3) を建物の床下基礎(2) 構築部の深部に挿置し、更に該９０°曲り鞘管(3) の上流側に直鞘管(19)を接続した状態でコンクリートを建て込んで床下基礎(2) を構築し、該９０°曲り鞘管(3) 内に可撓管(4) を挿通し、該直鞘管(19)内に該可撓管(4) に接続した直管(35)を挿通し、該直管(35)の上流側には屋内排水設備(7) に連絡する垂直排水管(6) を接続し、該可撓管(4) の下流側には屋外排水管(9) を接続して、上記の排水配管構造(1) を施工することが望ましい。
また更に、該可撓管(4) の上流側に、上端にオフセット広口受口(24)を形成したオフセット継手本体(21)と該オフセット広口受口(24)内に回転可能に嵌着されるオフセット短筒部材(22)とからなるオフセット継手(20)のオフセット継手本体(21)の下端受口(23)を接続し、該オフセット継手(20)のオフセット短筒部材(22)の上端受口(26)に該垂直排水管(6) を接続することが望ましい。
または、該可撓管(4) の上流側に、屈曲下側継手部材(29)と該屈曲下側継手部材(29)の接続受口(32)に回転可能に接続されている屈曲上側継手部材(30)とからなる屈曲オフセット継手(28)の屈曲下側継手部材(29)の下端受口(31)を直短管(27)を介して接続し、該屈曲オフセット継手(28)の屈曲上側継手部材(30)の上端受口(34)に該垂直排水管(6) を接続することが望ましい。
【発明の効果】
【０００７】
本発明の排水配管構造(1) および排水配管構造の施工方法では、９０°曲り鞘管(3) が建物の床下基礎(2) から外出する位置を建物の床下基礎(2) の端部から近い位置に設定することが出来る。従って、建物の屋内排水設備(7) に連絡する垂直排水管(6) が建物の床下基礎(2) の端部から近い位置に設定されている場合、例えば水洗式便器(7) の排水口(8) の場合であっても、屈曲させた複雑な排水経路を形成することなく、該９０°曲り鞘管(3) 内に挿通した可撓管(4) を該垂直排水管(6) に接続することが出来る。
また、建物の基礎が深基礎の場合、例えば傾斜地に建てられた建物の基礎の場合であっても、該９０°曲り鞘管(3) の上流端に直鞘管(19)を接続すれば、該直鞘管(19)が建物の床下基礎(2) から外出する位置を建物の床下基礎(2) の端部から近い位置に設定することが出来る。
更に、該９０°曲り鞘管(3) または該直鞘管(19)が建物の床下基礎(2) から外出する位置と建物の屋内排水設備(7) に連絡する垂直排水管(6) の位置とが少々ずれている場合であっても、該９０°曲り鞘管(3) 内または該直鞘管(19)内の可撓管(4) と建物の屋内排水設備(7) に連絡する垂直排水管(6) とを上記のオフセット継手(20)または屈曲オフセット継手(28)を介して接続すれば、該可撓管(4) と該垂直排水管(6) とを簡単に接続することが出来る。
従って本発明の排水配管構造(1) および排水配管構造の施工方法では、排水配管の施工作業に要する労力や費用を大幅に削減することが出来る。
【発明を実施するための最良の形態】
【０００８】
以下、本発明を実施例１〜実施例５により詳細に説明する。
【実施例１】
【０００９】
本発明を図１および図２に示す一実施例によって説明する。
図１および図２に示すように、排水配管構造(1) は、建物の床下基礎(2) 内において該床下基礎(2) の内外に通じた状態で埋設される９０°曲り鞘管(3) と、該９０°曲り鞘管(3) 内に挿通される可撓管(4) とを有している。
該可撓管(4) の上流側には直管可撓管変換継手(5) を介して垂直排水管(6) が接続されており、該垂直排水管(6) は建物の屋内排水設備である水洗式便器(7) の排水口(8) に接続されている。一方、該可撓管(4) の下流側には直管可撓管変換継手(5) を介して屋外排水管(9) が接続されており、該屋外排水管(9) は屋外排水ます(10)を介して公共ます（図示せず）に連絡されている。
なお本実施例では、該可撓管(4) は独立波付け二重管が使用される（図５参照）。
【００１０】
このような排水配管構造(1) の施工を行なう場合には、まず、建物の床下基礎(2) 構築部の所定個所に内外に通じる９０°曲り鞘管(3) を挿置し、その状態でコンクリートを建て込んで床下基礎(2) を構築する。床下基礎(2) を構築した後、該９０°曲り鞘管(3) の上流側の外出した部分を所定の長さに切り揃え、該切り揃えた９０°曲り鞘管(3) の長さに対応させて可撓管(4) の長さを切り揃える。
【００１１】
次に、可撓管(4) の上流端と下流端の両端に、直管可撓管変換継手(5) の可撓管受口部(11)を接続する（図２参照）。
可撓管(4) に直管可撓管変換継手(5) を接続する場合には、まず、可撓管(4) に袋ナット(12)を摺動可能に外嵌しておき、次いで該可撓管(4) の両端部にＯリング(13)を嵌着し、更に、該可撓管(4) の所定位置にＣリング(14)を嵌着する。そして、直管可撓管変換継手(5) の可撓管受口部(11)に該可撓管(4) を挿入し、該Ｃリング(14)に袋ナット(12)の係止部(15)を係止させるとともに、袋ナット(12)を該変換継手(5) に螺着して締付け固定する。
【００１２】
そして、直管可撓管変換継手(5) を取付けた可撓管(4) を９０°曲り鞘管(3) 内に挿通する。
本実施例では、該９０°曲り鞘管(3) が屈曲部分(16)を太くした大曲り形状とされいるため、該９０°曲り鞘管(3) 内に可撓管(4) を挿通する際に、可撓管(4) の先端に取付けられた直管可撓管変換継手(5) が該屈曲部分(16)に突っ掛かることがない（図２参照）。
【００１３】
その後、可撓管(4) の下流端に接続した直管可撓管変換継手(5) の直管受口部(17)に、屋外排水ます(10)を介して公共ますに連絡する屋外排水管(9) を接続し、可撓管(4) の上流端に接続した直管可撓管変換継手(5) の直管受口部(17)に、水洗式便器(7) の排水口(8) に連絡する垂直排水管(6) を接続する（図２参照）。
直管である屋外排水管(9) または垂直排水管(6) に直管可撓管変換継手(5) を接続する場合、該直管可撓管変換継手(5) の直管受口部(17)に直管を挿入し、接着剤を用いて接着固定する。
なお、本実施例では、可撓管(4) の下流端に接続した直管可撓管変管継手の直管受口部(17)の外周面にはシールリング(18)を取付ける。該シールリング(18)を取付けることによって、９０°曲り鞘管(3) と該変換継手(5) との隙間を封止して、雨水や地下水等が９０°曲り鞘管(3) 内に浸入するのを防止することが出来る。
【００１４】
上記のように、９０°曲り鞘管(3) を用いた排水配管構造(1) では、９０°曲り鞘管(3) の建物の床下基礎(2) からの外出位置を建物の床下基礎(2) の端部から近い位置に設定することが出来るため、水洗式便器(7) の排水口(8) に連絡する垂直排水管(6) が建物の床下基礎(2) の端部から近い位置に設定されている場合であっても、屈曲させた複雑な排水経路を形成することなく、該９０°曲り鞘管(3) 内に挿通した可撓管(4) を該垂直排水管(6) に接続することが出来る。
従って、排水配管構造(1) の施工を行なう場合に、屈曲させた複雑な排水経路を形成する必要がないため、円滑な水流を確保することが出来るとともに、排水配管の施工作業に要する労力や費用を大幅に削減することが出来る。
なお、本実施例では、水洗式便器(7) の排水口(8) の位置は建物の床下基礎(2) の端部から２００ｍｍの位置に設定されているが、この場合には、曲率半径が２００ｍｍの９０°曲り鞘管(3) を用いることによって、該９０°曲り鞘管(3) に接続した垂直排水管(6) の直上に水洗式便器(7) の排水口(8) を位置せしめることが出来る。
【実施例２】
【００１５】
図３には他の実施例が示される。
本実施例では、図１および図２に示した実施例１に対して、図３に示すように、９０°曲り鞘管(3) は建物の床下基礎(2) の深部に埋設されており、該９０°曲り鞘管(3) の上流側には直鞘管(19)が接続され、該直鞘管(19)内と該９０°曲り鞘管(3) 内に可撓管(4) が挿通されている。
【００１６】
このような排水配管構造(1) の施工を行なう場合には、まず、９０°曲り鞘管(3) を建物の床下基礎(2) 構築部の深部に挿置し、更に該９０°曲り鞘管(3) の上流側に直鞘管(19)を接着剤を用いて接着して接続し、その状態でコンクリートを建て込んで床下基礎(2) を構築する。
そして、実施例１と同様にして、可撓管(4) の両端に直管可撓管変換継手(5) を接続した後、該可撓管(4) を該９０°曲り鞘管(3) 内と該直鞘管(19)内に挿通し、該可撓管(4) の上流側に屋内排水設備(7) に連絡する垂直排水管(6) を接続し、該可撓管(4) の下流側には屋外排水管(9) を接続する。
【００１７】
上記のように、９０°曲り鞘管(3) と直鞘管(19)を用いた排水配管構造(1) では、建物の基礎が深基礎の場合、例えば傾斜地に建てられた建物の基礎の場合であっても、該９０°曲り鞘管(3) の上流端に直鞘管(19)を接続することによって、該直鞘管(19)の建物の床下基礎(2) からの外出位置を建物の床下基礎(2) の端部から近い位置に設定することが出来る。
【実施例３】
【００１８】
図４には更に他の実施例が示される。
本実施例では、図３に示した実施例２に対して、図４に示すように、９０°曲り鞘管(3) は建物の床下基礎(2) の深部に埋設されており、該９０°曲り鞘管(3) の上流側には直鞘管(19)が接続され、該９０°曲り鞘管(3) 内に可撓管(4) が挿通されており、該直鞘管(19)内に該可撓管(4) に接続された直管(35)が挿通されている。
【００１９】
このような排水配管構造(1) の施工を行なう場合には、実施例２と同様に、まず、９０°曲り鞘管(3) を建物の床下基礎(2) 構築部の深部に挿置し、更に該９０°曲り鞘管(3) の上流側に直鞘管(19)を接着剤を用いて接着して接続し、その状態でコンクリートを建て込んで床下基礎(2) を構築する。
そして、可撓管(4) の両端に直管可撓管変換継手(5) を接続して、該可撓管(4) の上流側に直管(35)を接続した後、該９０°曲り鞘管(3) 内に直管(35)を介して該可撓管(4) を挿通するとともに、該直鞘管(19)内に該直管(35)を挿通し、更に、該直管(35)の上流側に屋内排水設備(7) に連絡する垂直排水管(6) を接続し、該可撓管(4) の下流側には屋外排水管(9) を接続する。
【００２０】
上記のように、９０°曲り鞘管(3) と直鞘管(19)を用いた排水配管構造(1) では、建物の基礎が深基礎の場合、例えば傾斜地に建てられた建物の基礎の場合であっても、該９０°曲り鞘管(3) の上流端に直鞘管(19)を接続することによって、該直鞘管(19)の建物の床下基礎(2) からの外出位置を建物の床下基礎(2) の端部から近い位置に設定することが出来る。
また上記のように、該９０°曲り鞘管(3) 内に直管(35)を介して該可撓管(4) を挿通することによって、該９０°曲り鞘管(3) 内に該可撓管(4) を押込み挿入作業が非常に容易となる。
【実施例４】
【００２１】
図５にはまた更に他の実施例が示される。
図１および図２に示した実施例１では、９０°曲り鞘管(3) に挿通された可撓管(4) の上流端には直管可撓管変換継手(5) を介して垂直排水管(6) が接続されていたのに対して、本実施例では、図５に示すように、９０°曲り鞘管(3) に挿通された可撓管(4) の上流端にはオフセット継手(20)を介して垂直排水管(6) が接続されている。
【００２２】
該オフセット継手(20)は、オフセット継手本体(21)とオフセット短筒部材(22)とからなり、該オフセット継手本体(21)の下端には下端受口(23)が形成されており、該オフセット継手本体(21)の上端には該下端受口(23)とは異軸のオフセット広口受口(24)が形成されている。
一方、該オフセット短筒部材(22)の下端にはオフセット継手本体(21)のオフセット広口受口(24)と同軸のオフセット広口挿口(25)が形成されており、該オフセット短筒部材(22)の上端には該オフセット広口挿口(25)とは異軸の上端受口(26)が形成されており、該オフセット短筒部材(22)は該オフセット継手本体(21)のオフセット広口受口(24)内でＯリング(36)を介して回転可能とされている。
また、該オフセット継手本体(21)のオフセット広口受口(24)の上端内周には、該オフセット短筒部材(22)が該オフセット広口受口(24)から脱け出すのを防止するための係止フランジ(37)が突設されている。
【００２３】
このような排水配管構造(1) の施工を行なう場合には、実施例１と同様にして、建物の床下基礎(2) 構築部の所定個所に内外に通じる９０°曲り鞘管(3) を挿置した状態でコンクリートを打ち込んで床下基礎(2) を構築した後、可撓管(4) の下流端に直管可撓管変換継手(5) を接続し、該可撓管(4) を該９０°曲り鞘管(3) 内に挿通する。
そして、本実施例では、該可撓管(4) の上流端にオフセット継手(20)を接続する。
可撓管(4) の上流端にオフセット継手(20)のオフセット継手本体(21)を回転可能に接続する場合には、まず、可撓管(4) に袋ナット(12)を摺動可能に外嵌しておき、次いで該可撓管(4) の先端部にＯリング(13)を嵌着し、更に、該可撓管(4) の所定位置にＣリング(14)を嵌着する。そして、オフセット継手本体(21)の下端受口(23)に該可撓管(4) を挿入し、該Ｃリング(14)に袋ナット(12)の係止部(15)を係止させるとともに、袋ナット(12)を該下端受口(23)に螺着して締付け固定する。
その後、オフセット継手(20)のオフセット短筒部材(22)の上端受口(26)に、水洗式便器(7) の排水口(8) に連絡する垂直排水管(6) を接着剤を用いて接着して接続する。
【００２４】
上記のように、オフセット継手(20)を用いた排水配管構造(1) では、可撓管(4) に対してオフセット継手本体(21)を回転させるとともに、該オフセット継手本体(21)に対してオフセット短筒部材(22)を回転させることによって、可撓管(4) に接続される下端受口(23)の中心軸と垂直排水管(6) に接続される上端受口(26)の中心軸との位置を調整することが出来るため、９０°曲り鞘管(3) または直鞘管(19)の建物の床下基礎(2) からの外出位置と建物の屋内排水設備(7) に連絡する垂直排水管(6) の位置とが少々ずれている場合であっても、可撓管(4) と垂直排水管(6) とを該オフセット継手(20)を介して簡単に接続することが出来る。
本実施例では、下端受口(23)の中心軸とオフセット広口受口(24)の中心軸との距離が３５．５ｍｍに設定されており、オフセット広口受口(24)の中心軸と上端受口(26)の中心軸との距離が３２．５ｍｍに設定されているため、９０°曲り鞘管(3) または直鞘管(19)の建物の床下基礎(2) からの外出位置と建物の屋内排水設備(7) に連絡する垂直排水管(6) の位置とのずれ、すなわち可撓管(4) の中心軸と垂直排水管(6) の中心軸とのずれが、３ｍｍ〜６８ｍｍの範囲内であれば、該オフセット継手(20)を介して可撓管(4) と垂直排水管(6) とを接続することが出来る。
【実施例５】
【００２５】
図６にはまた更に他の実施例が示される。
図５に示した実施例４に対して、本実施例では、９０°曲り鞘管(3) に挿通された可撓管(4) の上流端には直管可撓管変換継手(5) を介して直短管(27)が接続されており、該直短管(27)には、図６に示す屈曲オフセット継手(28)を介して垂直排水管(6) が接続されている。
【００２６】
該屈曲オフセット継手(28)は、屈曲下側継手部材(29)と屈曲上側継手部材(30)とからなり、該屈曲下側継手部材(29)の下端には下端受口(31)が形成されており、該屈曲下側継手部材(29)の上端には該下端受口(31)とは異軸の接続受口(32)が形成されている。一方、屈曲上側継手部材(30)の下端には屈曲下側継手部材(29)の接続受口(32)と同軸の接続挿口(33)が形成されており、該屈曲上側継手部材(30)の上端には該接続挿口(33)とは異軸の上端受口(34)が形成されており、該屈曲上側継手部材(30)は該屈曲下側継手部材(29)の接続受口(32)内で回転可能とされている。
【００２７】
このような排水配管構造(1) の施工を行なう場合には、実施例１と同様にして、建物の床下基礎(2) 構築部の所定個所に内外に通じる９０°曲り鞘管(3) を挿置した状態でコンクリートを打ち込んで床下基礎(2) を構築した後、可撓管(4) の両端に直管可撓管変換継手(5) を接続し、該可撓管(4) を該９０°曲り鞘管(3) 内に挿通する。
そして、本実施例では、該可撓管(4) の上流端の直管可撓管変換継手(5) に直短管(27)の下端を接続し、該直短管(27)の上端に屈曲オフセット継手(28)の屈曲下側継手部材(29)の下端受口(31)を接続し、更に、屈曲オフセット継手(28)の屈曲上側継手部材(30)の上端受口(34)に垂直排水管(6) を接続する。
なお、本実施例では、直管可撓管変換継手(5) と直短管(27)、屈曲オフセット継手(28)の上端受口(34)と垂直排水管(6) を接続する場合には、接着剤を用いて相互に接着して接続されており、また、直短管(27)と屈曲オフセット継手(28)の下端受口(31)を接続する場合には、ゴム輪(38)を介してゴム輪接合によって接続されている。
【００２８】
上記のように、屈曲オフセット継手(28)を用いた排水配管構造(1) では、可撓管(4) に対して下側屈曲継手部材を回転させるとともに、該下側屈曲継手部材に対して上側屈曲継手部材を回転させることによって、実施例４と同様、直短管(27)を介して可撓管(4) に接続される下端受口(31)の中心軸と垂直排水管(6) に接続される上端受口(34)の中心軸との位置を調整することが出来るため、９０°曲り鞘管(3) または直鞘管(19)の建物の床下基礎(2) からの外出位置と建物の屋内排水設備(7) に連絡する垂直排水管(6) の位置とが少々ずれている場合であっても、可撓管(4) と垂直排水管(6) とを該屈曲オフセット継手(28)を介して簡単に接続することが出来る。
本実施例では、下端受口(31)の中心軸と接続受口(32)の中心軸との距離が３５ｍｍに設定されており、接続受口(32)の中心軸と上端受口(34)の中心軸との距離が３５ｍｍに設定されているため、９０°曲り鞘管(3) または直鞘管(19)の建物の床下基礎(2) からの外出位置と建物の屋内排水設備(7) に連絡する垂直排水管(6) の位置とのずれ、すなわち可撓管(4) の中心軸と垂直排水管(6) の中心軸とのずれが、０ｍｍ〜７０ｍｍの範囲内であれば、該屈曲オフセット継手(28)を介して可撓管(4) と垂直排水管(6) とを接続することが出来る。
【００２９】
以上、本発明の実施の形態を実施例により説明したが、本発明の範囲はこれらに限定されるものではなく、請求項に記載された範囲内において目的に応じて変更・変形することが可能である。
例えば、上記実施例４以外、可撓管(4) の上流側には、該可撓管(4) に接続された直管(35)を介して、上端にオフセット広口受口(24)を形成したオフセット継手本体(21)と該オフセット広口受口(24)内に回転可能に嵌着されるオフセット短筒部材(22)とからなるオフセット継手(20)のオフセット継手本体(21)の下端受口(23)が接続され、該オフセット継手(20)のオフセット短筒部材(22)の上端受口(26)には該垂直排水管(6) が接続されていてもよい。
その場合には、該可撓管(4) の上流側に直管(35)を接続し、該直管(35)の上流側に、上端にオフセット広口受口(24)を形成したオフセット継手本体(21)と該オフセット広口受口(24)内に回転可能に嵌着されるオフセット短筒部材(22)とからなるオフセット継手(20)のオフセット継手本体(21)の下端受口(23)を接続し、該オフセット継手(20)のオフセット短筒部材(22)の上端受口(26)に該垂直排水管(6) を接続する。
【００３０】
また、上記実施例５以外、可撓管(4) の上流側には、該可撓管(4) に接続された直管(35)を介して、屈曲下側継手部材(29)と該屈曲下側継手部材(29)の接続受口(32)に回転可能に接続されている屈曲上側継手部材(30)とからなる屈曲オフセット継手(28)の屈曲下側継手部材(29)の下端受口(31)が直短管(27)を介して接続され、該屈曲オフセット継手(28)の屈曲上側継手部材(30)の上端受口(34)には該垂直排水管(6) が接続されていてもよい。
その場合には、該可撓管(4) の上流側に直管(35)を接続し、該直管(35)の上流側に、屈曲下側継手部材(29)と該屈曲下側継手部材(29)の接続受口(32)に回転可能に接続されている屈曲上側継手部材(30)とからなる屈曲オフセット継手(28)の屈曲下側継手部材(29)の下端受口(31)を直短管(27)を介して接続し、該屈曲オフセット継手(28)の屈曲上側継手部材(30)の上端受口(34)に該垂直排水管(6) を接続する。
【産業上の利用可能性】
【００３１】
本発明は、排水配管の施工作業に要する労力や費用を大幅に削減することが出来る排水配管構造および排水配管構造の施工方法として、産業上利用することが出来る。
【図面の簡単な説明】
【００３２】
【図１】実施例１の排水配管構造の説明側断面図である。
【図２】実施例１の排水配管構造の部分拡大説明側断面図である。
【図３】実施例２の排水配管構造の部分拡大説明側断面図である。
【図４】実施例３の排水配管構造の部分拡大説明側断面図である。
【図５】実施例４の排水配管構造の部分拡大説明側断面図である。
【図６】実施例５の排水配管構造の部分拡大説明側断面図である。
【符号の説明】
【００３３】
1  排水配管構造
2  建物の床下基礎
3  ９０°曲り鞘管
4  可撓管
6  垂直排水管
7  屋内排水設備（水洗式便器）
8  排水口
9  屋外排水管
19  直鞘管
20  オフセット継手
21  オフセット継手本体
22  オフセット短筒継手
23  下端受口
24  オフセット広口受口
26  上端受口
27  直短管
28  屈曲オフセット継手
29  屈曲下側継手部材
30  屈曲上側継手部材
31  下端受口
32  接続受口
34  上端受口
35  直管
【図１】
2005163383.tif 000003
【図２】
2005163383.tif 000004
【図３】
2005163383.tif 000005
【図４】
2005163383.tif 000006
【図５】
2005163383.tif 000007
【図６】
2005163383.tif 000008